(57)【要約】      （修正有）【課題】差動式感知器や光電式感知器に係らず、外形形状が異なる感知器に確実に食い込み、どんな場所からでも作業ができ、高さに制限がなく感知器を確実に脱着する。【解決手段】感知器の外側面にあった、凹凸の填め込み部を持つ脱着器と上下するピン付きの中間ピン付脱着器や異なった形状の凹凸の填め込み部を持つ中間脱着器の外側面に一定の形状の凹凸を持つ填め込み部を設けたことにより、脱着器の内側部の填まり込み部に接合できる。さらには、異なった感知器の種類でも確実に脱着できる。また、角度を替えて脱着するため脱着器に取り付ける、金具の溝を１８０度切り込んだ金具を支持棒に固定することで、安定した感知器の脱着ができる。また、支持棒に支持棒と同じ強度・同形状・軽量を持った中間支持棒を取付けることにより、どんな高さに対しても安定して感知器の脱着ができる。【選択図】図７
2006277706.tif 000002
【特許請求の範囲】
【請求項１】
感知器の外側面の凹凸部分に、内側面が嵌合できる形状の填まり込み部と外側面が一定の形状を持つ填まり込み部で、内側面が嵌合できる形状の填まり込み部や内側面にピン付填まり込み部を嵌合する部分を備えた形状と脱着角度に対応できる金具や天井の高さに応じて繋ぐ、支持棒と同じ強度を持つ中間支持棒の脱着を備えるたことを特徴とする感知器脱着器具。
【請求項２】
感知器の外則面の凹凸部分に、内側面が嵌合できる形状の填まり込み部を、感知器の外側面の凹凸部分に嵌合できるための同じ凹凸部分を有することを特徴とする請求項１に記載の感知器脱着器具。
【請求項３】
中間脱着器の嵌合手段として、外側面の凹凸部が請求項２と異なったに感知器に内側面を嵌合できる形状の填まり込み部の外側面が一定の形状の填め込み部を請求項２に接合できる形状の凹凸部を有することを特徴とする請求項１に記載の感知器脱着器具。
【請求項４】
中間脱着器の嵌合手段として、外則面に凹部を持つ感知器に内側面に凹部に填め込むことができる上下するピンを備えた填まり込み部の外側面が一定の形状の填め込み部を請求項２に接合できる形状の凹凸部分を有することを特徴とする請求項１に記載の感知器脱着器具。
【請求項５】
支持棒と脱着器を繋ぐ手段として、金具の半上部切溝に請求項２を取り付けできる金具を支持棒に固定することを有することを特徴とする請求項１に記載の感知器脱着器具。
【請求項６】
支持棒を使って、感知器が設置されている高さに応じて脱着する手段として、支持棒と同じ強度・材質・形状を持つ中間支持棒を脱着することを有することを特徴とする請求項１に記載の感知器脱着器具。
【発明の詳細な説明】
【技術分野】
【０００１】本発明は、差動式感知器及び光電式感知器などの形状に係らず、感知器を脱着できる脱着器に関し、特に感知器を点検したり、新品に取り替えたりする際に用いる感知器脱着器具に関する。
【背景技術】
【０００２】従来の感知器脱着器具は感知器の外側部分と嵌合する掴み部と、長尺状の柄とを備えることを特徴とする感知器脱着器具がある。【０００３】以下説明する。感知器には、差動感知器、光電式感知器があり、その外側形状は側面凹凸型、表面凹凸型、穴付がある。これらを脱着するには、それぞれの外側形状に合った脱着器を用いるか又はゴムなど滑りずらいものを介在させた掴み具で行なう必要があった。脱着器のゴム掴み部は複数の切り込みを有し、外周または内周を切り込み部で掴む器具である。掴み部で差動式感知器、光電式感知器を掴み回転すことにより脱着することができる。長尺状の柄では感知器の真下から脱着できないときは屈曲可能部分により側方からでも脱着できる。長尺状の柄は天井の高いところについている感知器を脚立や梯子等を用いらなくても伸縮可能部分により高いところについても対応できるが、感知器の種類によっては確実に掴むことが容易でなく、脱着作業も容易でないことがあった。
【特許文献】    特開平１０−１４３７７８公報
【発明の表示】
感知器脱着器具
【発明が解決しようとする課題】
【０００４】以上に延べた、従来の感知器脱着器具の掴み部はそれぞれ対応する感知器ごとに形状が異なるため複数の脱着器を用意する必要があった。また防滑性の材料を介在させても滑りやすい問題があった。また天井が高い場合は、釣り竿式の伸縮可能部分の先端が不安定となるため、掴み部を誘導するのが困難になることや柄元が大きくなり手で掴む操作ができなくなるため、感知器が設置されている高さにより脱着の操作に困難をきたすことが多かった。
【０００５】本発明は、このような従来の構造が有していた問題を解決しようとするものである。
【課題を解決するための手段】
【０００６】図４の感知器１の外側面に応じて、嵌合する形状の填まり込み部６を持つ脱着器８を感知器１の外側面に填め込むことで脱着できる。異なった図２感知器２、図３感知器３の外側面に、接合する形状の填め込み部６を持つ図５中間脱着器９と図６中間ピン式脱着器１０の外側面を、常備している図４の脱着器８の填まり込み部６に接合できる形状を備えたことにより、作業の効率や差動式感知器及び光電式感知器に係らず、感知器を確実に脱着することができる。また、図７の支持棒１５に脱着器８を常備するために、溝付金具１４を固定したことにより、どの位置からでも脱着できる。そして図８の支持棒１５に、高さに応じて中間支持棒１６を支持棒と同じ強度・同形状・材質にした中間支持棒１６を脱着式にしたことで、天井の高いところに設置されている感知器を、脚立や足場等を使用せず容易に脱着作業ができる、軽量で錆びない感知器脱着器具を提供するものである。
【０００７】請求項１記載の本発明は、上記目的を達成するために、略円筒で、感知器の外側面が異なる凹凸部分に、嵌合する形状の填まり込み部を持つ脱装器と外側面に一定の填め込み部を備えた中間脱着器さらにはピン式中間脱着器や丸状アルミの材質で支持棒に同じ材質で中間支持棒の脱着を備えることを特徴とする感知器脱着器具を要旨とする。
【０００８】請求項２前記の発明は、感知器の外側面の形状に合わせて、内側部が感知器の外側部の形状になっているため、感知器の外側面に嵌合することができる脱着器である。前記填まり込み部を感知器の外側面に嵌合した状態で、前記脱着器に備えた支持棒を持ち左右に回すことにより、天井の高いところに設置されている感知器を確実に脱着することができる。
【０００９】請求項３記載の発明は、感知器の外側面の凹凸部に嵌合する形状の填まり込み部を備えた略円筒の外側面が一定の形状の凹凸部を備えた中間脱着器を請求項２の内側面に接合させることにより、外側部に凹凸部がある感知器を脱着できるため、複数の感知器脱着器具を用いずとも、中間脱着器を交換することにより、多種の感知器の脱着作業ができることから、感知器脱着器具の持ち運びが簡易・軽量・無錆で便利であり、経済的である。
【００１０】請求項４記載の発明は、感知器の外側部の凹部に填まり込む上下するピンを備えた填まり込み部の略円筒の外側面が一定の形状の凹凸部を備えた中間ピン付脱着器を請求項２の内側面に接合させることにより、外側部に凹部がある感知器を脱着することができるため、複数の感知器脱着器具を用いずとも、ピン付中間脱着器を交換することにより、多種の感知器の脱着作業ができることから、感知器脱着器具の持ち運びが簡易・軽量・無錆で便利であり経済的である。
【００１１】請求項５記載の発明は、丸状アルミの金具を二股にするため１８０度の切溝を付け、その間に請求項２を常備できる止め金具を備えた金具を、支持棒に固定と軽量・無錆を特徴とする感知器脱着器具を要旨とする。
【００１２】前記金具により側方からの作業が自由にできる。特に感知器の真下以外でも感知器脱着作業ができる。
【００１３】請求項６記載の支持棒の発明は、前記支持棒に中間支持棒を脱着できる特徴と強度・同形状・軽量・無錆で請求項１に記載の感知器脱着器具を要旨とする。
【００１４】前記支持棒に、高さに応じて複数の中間支持棒を脱着することにより安定・確実に感知器の脱着ができ軽量・無錆である。
【発明の効果】
【００１５】上述したように本発明の感知器脱着器は、差動式感知器や光電式感知器に係らず、外侮形状が異なる感知器に確実に食い込み、どんな場所からでも作業ができ、高さに制限がなく感知器を確実に脱着することができる。
【００１６】また、感知器の外側面に応じて、支持棒に常備した脱着器の填まり込み部に、内側形状が異なる中間脱着器やピン式中間脱着器の外側面に一定の形状の填め込み部を接合することにより、支持棒１本で簡単に脱着作業ができる。また、高さに制限が無く、支持棒に中間支持棒を高さに応じて脱着することで、脱着作業が確実、敏速にできる。
【発明を実施するための最良の形態】
【００１７】本発明に係る実施の形態について、図４の感知器１の外側面に填まり込み部６を持つ脱着器８を感知器１に嵌合させ、支持棒１５を左右に回すことで脱着ができる。また異なった図２感知器２の外側面に填まり込み部を持つ図５中間脱着器９の外側面７を図４の脱着器８の填まり込み部６に接合できる形状の凹凸を備えたことにより接合でき図７のように図２感知器２の外側面に嵌合させ、支持棒１５を左右に回すと感知器の脱着が確実にできる。さらに図３感知器３については、前記図５中間脱着器９と同様に図４脱着器８の填まり込み部６に外側面が接合することができ、図６ピン式中間脱着器１０の填まり込み部６を図７の感知器３に嵌合すると、ピン１１が沈み、支持棒１５を左右に回すことにより、感知器３の外側面の凹４に来ると、ピン１１が飛び出し、凹４に填まり込み感知器を確実に掴むことで、支持棒１５を左右に回すことで脱着ができる。前記により、図４の支持棒１５や脱着器８を交換することなく、複数の異なった感知器を中間脱着器等により脱着することができる。また図４より、感知器１の真下以外でも、１８０度の切溝が付いている金具１４を支持棒１５に固定し、金具１４の溝に脱着装器８を常備することにより、感知器を側方からの脱着作業が確実にできる。さらには天井の高さに合わせて、図８の支持棒１５に中間支持棒１６を脱着することにより、高い所に設置されている感知器の脱着作業が確実にできる。
【実施例１】
【００１８】感知器を脱着するために、感知器脱着器具を用いて、脱着器の填まり込み部を感知器の外側面に嵌合させ、支持棒を回すことにより感知器を確実に脱着することができる。【００１９】感知器の外側面が異なった場合は、支持棒に常備している脱着器に、外側面の形状が異なった感知器の外側面の形状が一定の填め込み部を持つ中間脱着器の外側面を接合させ、中間脱着器の内側面の填まり込み部を感知器の外側面に嵌合させ、支持棒を回すことにより感知器を確実に脱着することができる。【００２０】感知器の外側面に凹がある場合は、ピン付中間脱着器の外側面が一定の填め込み部を、脱着器の填まり込み部に接合させ、中間ピン付脱着器の内側面の填まり込み部を感知器に嵌合することにより、ピンが沈み嵌合部を回すことにより、凹の位置に来るとピンが凹に填まり込むことで感知器を確実に掴み脱着することができる。【００２１】感知器が設置されている真下に物がある場合は、支持棒の金具の溝により、脱着器の操作をしやすい角度にして、脱着器を感知器の外側面に嵌合できる。【００２２】感知器が設置されている高さが、脚立や足場等で届かない場合は、高さに応じて中間支持棒を脱着し脱着器を感知器の外側面に嵌合できる。
【産業上の利用可能性】
【００２３】火災報知器設備の感知器以外でも、感知器を必要とする設備には、感知器脱着器具の中間脱着器等をその設備用の感知器の外側面に嵌合できる形状のものを、支持棒に常備している脱着器の嵌合部に接合することや高さに応じて中間支持棒を脱着できるので安定・確実・安全により多種の感知器の脱着作業ができる。
【図面の簡単な説明】
【００２４】
【図１】側面凹凸の感知器を示した図である。
【図２】表面凹凸の感知器を示した図である。
【図３】穴がある感知器を示した図である。
【図４】支持棒に、常備している脱着器で感知器に嵌合の状態を示した側面図である。
【図５】中間脱着器を示した側面図である。
【図６】中間ピン付脱着器を示した側面図である。
【図７】支持棒に常備している脱着器にピン付中間脱着器が接合する状態と穴付感知器に嵌合させる状態を示した側面図である。
【図８】支持棒に中間支持棒を取付し感知器の外側面に脱着器を嵌合させた状態を示した側面図である。
【符号の説明】
【００２５】１：側面凹凸感知器
２：表面凹凸感知器
３：穴付感知器
４：穴
５：感知器取り付け台
６：内側凹凸填め込み部
７：外側凹凸填め込み部
８：脱着器
９：中間脱着器
１０：中間ピン付脱着器
１１：填まり込みピン
１２：スプリング
１３：プラグ
１４：脱着器取り付け金具
１５：支持棒
１６：中間支持棒
１７：中間支持棒止め金具
１８：脱着器と支持棒の止め金具
１９：ネジプラグ
【図１】
2006277706.tif 000003
【図２】
2006277706.tif 000004
【図３】
2006277706.tif 000005
【図４】
2006277706.tif 000006
【図５】
2006277706.tif 000007
【図６】
2006277706.tif 000008
【図７】
2006277706.tif 000009
【図８】
2006277706.tif 000010